(57)【要約】【課題】組み立て状態を確実に維持することができる仕切体を提供する。【解決手段】上端縁から下方に延びる第１スリット４を備える縦仕切板２と、下端縁から上方に延びて第１スリット４に係合する第２スリット５を備える横仕切板３とを、共に起立状態で交差させ第１スリット４と第２スリット５とを係合させることにより仕切体１が組み立てられる。縦仕切板２の第１スリット４に、その内方に突出する爪部６を設ける。横仕切板３に、第１スリット４と第２スリット５とを係合させたとき、爪部６が係止する係止孔７を設ける。【選択図】図１
2010189051.tif 000002
【特許請求の範囲】
【請求項１】
上端縁から下方に延びる第１スリットを備える縦仕切板と、下端縁から上方に延びて前記第１スリットに係合する第２スリットを備える横仕切板とを、共に起立状態で交差させ第１スリットと第２スリットとを係合させることにより組み立てられる仕切体において、
前記縦仕切板の第１スリットは、その内方に突出する爪部を備え、
前記横仕切板は、第１スリットと第２スリットとを係合させたとき、前記爪部に対応する位置に形成されて該爪部が係止する係止孔を備えることを特徴とする仕切体。
【請求項２】
前記係止孔は、揺動自在の舌片により閉塞されており、
前記第１スリットと前記第２スリットとを係合させたとき、該舌片は、前記爪部の押圧により揺動して係止孔を開放し、
前記爪部は、舌片の揺動により開放された係止孔の内周縁に係止されることを特徴とする請求項１記載の仕切体。
【請求項３】
前記縦仕切板は、その長手方向に所定間隔を存して複数の前記第１スリットを備え、
各第１スリットは、第１スリットの輪郭に沿った破断可能線により切除自在の閉塞片により閉塞され、
前記横仕切板は、その長手方向に所定間隔を存して複数の前記第２スリットと複数の前記係止孔とを備え、
各第２スリットは、第２スリットの輪郭に沿った破断可能線により切除自在の閉塞片により閉塞され、
第１スリットと第２スリットとを係合させるとき、当該第１スリットの閉塞片と該第１スリットに係合させる第２スリットの閉塞片とを切除することを特徴とする請求項１又は２記載の仕切体。
【発明の詳細な説明】
【技術分野】
【０００１】
本発明は、包装箱等の内部空間を複数に区画するための仕切体に関する。
【背景技術】
【０００２】
従来、複数の縦仕切板と複数の横仕切板とが共に起立した状態で互いに交差するように組み立てられ、それらの複数の縦仕切板と複数の横仕切板とによって包装容器等の内部を複数に区画する仕切体が知られている（例えば、特許文献１参照）。
【０００３】
この種の仕切体は、縦仕切板に形成された第１スリットと横仕切板に形成された第２スリットとを互いに係合させることにより組み立てられている。
【先行技術文献】
【特許文献】
【０００４】
【特許文献１】実開昭６２−６０５８３号公報（第２図、第３図）
【発明の概要】
【発明が解決しようとする課題】
【０００５】
この種の仕切体においては、組み立て後には、前記縦仕切板の第１スリットは、前記横仕切板の第２スリットを上方から受け止めるように係合されているため、例えば、横仕切板を把持して上方に持ち上げたときに、縦仕切板から横仕切板が容易に外れ、組み立て状態を維持することが困難となる不都合があった。
【０００６】
上記の点に鑑み、本発明は、組み立て状態を確実に維持することができる仕切体を提供することを課題とする。
【課題を解決するための手段】
【０００７】
かかる課題を解決するために、本発明は、上端縁から下方に延びる第１スリットを備える縦仕切板と、下端縁から上方に延びて前記第１スリットに係合する第２スリットを備える横仕切板とを、共に起立状態で交差させ第１スリットと第２スリットとを係合させることにより組み立てられる仕切体において、前記縦仕切板の第１スリットは、その内方に突出する爪部を備え、前記横仕切板は、第１スリットと第２スリットとを係合させたとき、前記爪部に対応する位置に形成されて該爪部が係止する係止孔を備えることを特徴とする。
【０００８】
これによれば、第１スリットと第２スリットとを係合させたとき、前記爪部が係止孔に係止することにより、縦仕切板の第１スリットが、横仕切板の第２スリットを上方から受け止めるように係合されていても、例えば、横仕切板を把持して上方に持ち上げたときに、縦仕切板から横仕切板が容易に外れることはない。従って、組み立て状態を確実に維持することができる。
【０００９】
ここで、係止孔が横仕切板を貫通して形成されていると、横仕切板を介して隣接する空間同士が係止孔を介して連通する。このため、収納する物品の形状によっては横仕切板を介して隣接する物品同士が、係止孔を介して干渉するおそれがあるだけでなく、物品の収容時に物品が係止孔に干渉して円滑な収納作業を阻害するおそれもある。更に、係止孔が横仕切板を貫通して形成されている場合には、横仕切板の強度も低下する。
【００１０】
そこで、本発明において、前記係止孔は、揺動自在の舌片により閉塞されており、前記第１スリットと前記第２スリットとを係合させたとき、該舌片は、前記爪部の押圧により揺動して係止孔を開放し、前記爪部は、舌片の揺動により開放された係止孔の内周縁に係止されることを特徴とする。
【００１１】
これにより、前記舌片は、爪部が係止孔に係止させる分だけ揺動して、係止孔を殆ど閉塞した状態を維持する。従って、横仕切板を介して係止孔の連通状態を可及的に防止でき、横仕切板を介して隣接する物品同士の干渉を抑制することができると共に、物品の収納作業を円滑に行うことができる。しかも、舌片を設けることで、係止孔による横仕切板の強度低下が抑制できる。
【００１２】
ところで、一般に、この種の仕切体は、複数の縦仕切板と複数の横仕切板とを井桁状に組み付けて複数の区画された空間を形成する。この場合に、両仕切板に予め多数の第１スリットと第２スリットとを設けておき、第１スリットと第２スリットとを選択的に係合させることにより、各種の物品形状に対応する大きさに区画することができる。この際、係合されない状態の第１スリットと第２スリットとが生じて、両仕切板が撓みやすくなりその強度が著しく低下する。しかも、物品の収容時に、係合されない状態で露出する第１スリットに物品が引っかかり、円滑な収納作業を阻害するおそれがある。
【００１３】
そこで、本発明において、前記縦仕切板は、その長手方向に所定間隔を存して複数の前記第１スリットを備え、各第１スリットは、第１スリットの輪郭に沿った破断可能線により切除自在の閉塞片により閉塞され、前記横仕切板は、その長手方向に所定間隔を存して複数の前記第２スリットと複数の前記係止孔とを備え、各第２スリットは、第２スリットの輪郭に沿った破断可能線により切除自在の閉塞片により閉塞され、第１スリットと第２スリットとを係合させるとき、当該第１スリットの閉塞片と該第１スリットに係合させる第２スリットの閉塞片とを切除することを特徴とする。
【００１４】
これによれば、各種の物品形状に対応する大きさに区画する場合に、互いに係合させる第１スリットと第２スリットとから夫々の閉塞片を切除し、係合させない第１スリット及び第２スリットについては、閉塞片により閉塞状態を維持することができる。従って、係合されない状態の第１スリットと第２スリットとが生じても、閉塞片により両仕切板の撓みが防止されて強度を向上させることができ、物品の収容時には、係合されない状態の第１スリットは閉塞片により閉塞されているので物品の引っかかりが抑制できて円滑な収納作業を行うことができる。
【図面の簡単な説明】
【００１５】
【図１】本発明の実施形態の仕切体を示す斜視図。
【図２】図１の仕切体に用いる縦仕切板及び横仕切板の平面図。
【図３】爪部の係止孔への係止状態を示す説明的断面図。
【図４】他の実施形態の仕切体に用いる縦仕切板及び横仕切板の平面図。
【発明を実施するための形態】
【００１６】
本発明の実施形態を図面に基づいて説明する。本実施形態の仕切体１は、図１に示すように、縦方向を長手方向とした合成樹脂製の板材からなる縦仕切板２と、横方向を長手方向とした合成樹脂製の板材からなる横仕切板３とが起立した状態で互いに交差して組み立てられている。そして、縦仕切板２及び横仕切板３を起立させたときの高さ方向の寸法を縦仕切板２及び横仕切板３の幅寸法としたとき、縦仕切板２と横仕切板３とは、共に同じ幅寸法に形成されている。
【００１７】
図２に示すように、縦仕切板２は、上端縁から下方に延びる複数の第１スリット４を備えており、横仕切板３は、下端縁から上方に延びる複数の第２スリット５を備えている。
【００１８】
縦仕切板２の各第１スリット４は、縦仕切板２の長手方向に所定間隔を存して形成されている。第１スリット４の長さ寸法（縦仕切板２の幅方向に沿った寸法）は、縦仕切板２の幅寸法の１／２とされている。また、各第１スリット４には、その内側縁の一側から内方に突出する爪部６が形成されている。
【００１９】
更に、各第１スリット４は、第１スリット４の輪郭に沿った破断可能線により切除自在の閉塞片４ａにより閉塞されている。そして、第２スリット５と係合させる位置の第１スリット４においては、破断可能線により閉塞片４ａが切除されて開放状態となっている。
【００２０】
横仕切板３の各第２スリット５は、横仕切板３の長手方向に所定間隔を存して形成されている。第２スリット５の長さ寸法（縦仕切板２の幅方向に沿った寸法）は、横仕切板３の幅寸法の１／２とされている。
【００２１】
各第２スリット５は、第２スリット５の輪郭に沿った破断可能線により切除自在の閉塞片５ａにより閉塞されている。そして、第１スリット４と係合させる位置の第２スリット５においては、破断可能線により閉塞片５ａが切除されて開放状態となっている。
【００２２】
更に、各第２スリット５の上方位置には、前記爪部６が係止する係止孔７が形成されている。係止孔７は、コ字形の切れ目により横仕切板３から揺動遊離自在の舌片７ａにより閉塞されている。
【００２３】
以上の構成による縦仕切板２と横仕切板３とにより仕切体１を形成するときには、縦仕切板２と横仕切板３とを起立状態で交差させると共に、縦仕切板２の開放された第１スリット４と横仕切板３の開放された第２スリット５とを互いに係合させる。
【００２４】
そして、第１スリット４と第２スリット５とが互いに係合したとき、第１スリット４の爪部６が係止孔７に係止される。即ち、第１スリット４の爪部６が係止孔７の舌片７ａを押圧することにより舌片７ａが揺動して係止孔７の端縁が開放され、図３に示すように、この端縁に爪部６が係止することにより係合状態の第１スリット４と第２スリット５とが抜け止めされる。これにより、縦仕切板２と横仕切板３とは強固に連結された状態となり、横仕切板３を把持して持ち上げても、縦仕切板２から外れることがないので、図１に示す仕切体１の組立て状態を強固に維持することができる。
【００２５】
また、図１に示すように、組立て後の仕切体１においては、使用されない（即ち係合状態にない）第１スリット４と第２スリット５とは、共に閉塞片４ａ，５ａにより閉塞され、係止孔７は舌片７ａにより閉塞されている。これにより、第１スリット４と第２スリット５とが多数形成されていることによる強度低下が防止され、仕切体１の歪みや変形を抑制することができる。しかも、閉塞片４ａにより閉塞されている第１スリット４には、物品の収納作業時に物品が第１スリット４に引っかかることもなく、物品の収納作業が円滑に行える。同じように、係止孔７も舌片７ａにより閉塞されているので、係止孔７の内周縁に物品が引っかかることがなく、物品の収納作業が円滑に行える。
【００２６】
なお、図１に示す仕切体１においては２枚の縦仕切板２と２枚の横仕切板３とにより均等に９個の収納空間を形成したものを示しているが、例えば、図示しないが、縦仕切板２や横仕切板３の使用枚数や区画する空間の大きさに応じて、各縦仕切板２と各横仕切板３の所望のスリット４，５の閉塞片４ａ，５ａを切除して係合させることができる。
【００２７】
また、他の実施形態の仕切体として、図４に示す形状の縦仕切板１０と横仕切板１１とで形成することもできる。即ち、図４に示すように、横仕切板１１の第２スリット１２に爪部１３を設け、縦仕切板１０の第１スリット１４の下方位置に、第２スリット１２の爪部１３が係止する係止孔１５を設けてもよい。なお、第１スリット１４は前述の実施形態における図２に示した第１スリット４と同様に爪部１６を備え、横仕切板１１は第１スリット１４の爪部１６が係止する係止孔１７を備えている。
【００２８】
そして、この場合にも、各第１スリット１４及び第２スリット１２の夫々に、破断可能線により切除自在の閉塞片１４ａ，１２ａを設け、各係止孔１５，１７には、揺動遊離自在の舌片１５ａ，１７ａを設けることが好ましい。
【００２９】
このように構成された縦仕切板１０と横仕切板１１とは、全く同じ形状に形成することができるので、製造容易となる。しかも、第１スリット１４と第２スリット１２とを係合させたときには、第１スリット１４の爪部１６が横仕切板１１の係止孔１７に係止すると同時に、第２スリット１２の爪部１３が縦仕切板１０の係止孔１５に係止するので、一層強固に抜け止めされる。
【００３０】
なお、上記各実施形態以外に、本発明においては、第１スリット４，１４及び第２スリット５，１２に閉塞片４ａ，１４ａ，５ａ，１２ａを設けることなく開放状態に形成してもよい。また、各係止孔７，１５，１７においても、舌片７ａ，１５ａ，１７ａを設けることなく形成してもよい。
【符号の説明】
【００３１】
１…仕切体、２，１０…縦仕切板、３，１１…横仕切板、４，１４…第１スリット、５，１２…第２スリット、６，１３，１６…爪部、７，１５，１７…係止孔、７ａ，１５ａ，１７ａ…舌片、４ａ，５ａ，１２ａ，１４ａ…閉塞片。
【図１】
2010189051.tif 000003
【図２】
2010189051.tif 000004
【図３】
2010189051.tif 000005
【図４】
2010189051.tif 000006